(57)【要約】【課題】スピーカーからキャビネットを介して陰極線管に伝わる振動によりシャドウマスクが振動して生じる色ずれなどの画質の劣化を防止する。【解決手段】前面キャビネット１に設けられた音声放出孔に対向してその内面に取り付けられたスピーカー２は、前面キャビネット１の内面に設けられたスピーカー支持部３により前面キャビネット１の内面に対して傾斜して取り付けられる。スピーカ２から音圧変動及びスピーカ前面枠２１を介して前面キャビネット１に伝わる振動を大幅に低減できるので、シャドウマスクの振動による色ずれを防止できる。【選択図】　図１
2004048294.tif 000002
【特許請求の範囲】
【請求項１】
前面キャビネットと、
前記前面キャビネットに取り付けられた陰極線管と、
前記前面キャビネットに設けられた音声放出孔に対向して、前記前面キャビネットの内面に取り付けられたスピーカーと、
前記前面キャビネットの内面と前記スピーカーとの間に介在し、前記スピーカーを支持するスピーカー支持部とを備え、
前記スピーカーは前記スピーカー支持部により前記前面キャビネットの内面に対して傾斜していることを特徴とするテレビジョン受像機。
【請求項２】
前記スピーカ支持部の高さが可変である請求項１に記載のテレビジョン受像機。
【請求項３】
前記スピーカ支持部の材料が弾性材である請求項１に記載のテレビジョン受像機。
【発明の詳細な説明】
【０００１】
【発明の属する技術分野】
本発明はテレビジョン受像機に関し、特にキャビネットにスピーカを取り付ける構造に特徴を有するテレビジョン受像機に関する。
【０００２】
【従来の技術】
図５は、一般的なテレビジョン受像機の斜視図である。キャビネットは前面キャビネット１と後部キャビネット８とからなり、前面キャビネット１に受像管（陰極線管）７とスピーカとが固定され、スピーカが発する音声が音声放出部６の孔から放出される。
【０００３】
図６はテレビジョン受像機の内部構造を示した側面断面図である。図６では後部キャビネット８を取り去った状態を示している。スピーカ２は、その前面枠２１を前面キャビネット１の内面に密着させながら、前面キャビネット１の内面に設けられたボス１０にネジ９を螺入することにより、前面キャビネット１の内面に固定される。同様に、カラー受像管７は、ネジ９によって前面キャビネット１の内面に固定される。
【０００４】
【発明が解決しようとする課題】
このように受像管７とスピーカ２とが共に前面キャビネット１に固定されているため、スピーカ２が大音量を発するときスピーカ２の振動が前面キャビネット１を介して受像管７に伝わり、受像管７の内部のシャドウマスクが振動する。このために、色ずれ（例えば、白表示をさせたときに異なる色が表示される現象）や輝度の低下を局所的に生じる（以下、これらをまとめて単に「色ずれ」と言う）等の画像の乱れが生じるという問題がある。
【０００５】
スピーカーからの振動による画像の色ずれを防止するための技術としては、スピーカの固定部であるボス１０及びネジ９とスピーカとの間にゴムなどの防振材を介在させる構成が一般的である。また、特開２０００−２２４６８１号公報には、スピーカ部とホーン部とを備えるドームスピーカの先端部に防振材を介在させて、スピーカを前面キャビネット１の内面にネジ止めにより取り付ける構成が開示されている。
【０００６】
一方、近年のテレビジョン受像機には、コストダウンのためにスピーカとキャビネットとの間に防振材を介在させず、キャビネットにスピーカを直接ネジ止めする構造のものもある。
【０００７】
従来のいずれの構造でも、スピーカからキャビネットへの振動の伝達を大幅に低減することは困難であり、大音量発生時の画面の色ずれを許容範囲内に抑えることができなかった。
【０００８】
本発明は、スピーカーからキャビネットを介して受像管に伝わる振動が減少し、シャドウマスクの振動による色ずれなどの画質の劣化が抑制されたテレビジョン受像機を提供することを目的とする。
【０００９】
【課題を解決するための手段】
上記の目的を達成するために、本発明のテレビジョン受像機は、前面キャビネットと、前記前面キャビネットに取り付けられた陰極線管と、前記前面キャビネットに設けられた音声放出孔に対向して、前記前面キャビネットの内面に取り付けられたスピーカーと、前記前面キャビネットの内面と前記スピーカーとの間に介在し、前記スピーカーを支持するスピーカー支持部とを備え、前記スピーカーは前記スピーカー支持部により前記前面キャビネットの内面に対して傾斜していることを特徴とする。
【００１０】
【発明の実施の形態】
本発明者らは、スピーカから前面キャビネットへの振動の伝達経路には、スピーカーコーンの振動による音圧（気圧）変動が前面キャビネットに伝わる経路、スピーカ前面枠を介して前面キャビネットに伝わる経路、スピーカ固定用ネジを介して前面キャビネットに伝わる経路、の３つがあること、そして、特に、音圧変動を介した経路とスピーカ前面枠を介した経路とを何らかの方法で遮断できれば色ずれの問題を大幅に低減できることを見出した。
【００１１】
更に、一般にスピーカはテレビジョン受像機の正面を向く方向に設置されるが、本発明者らの実験によれば、スピーカの設置方向を正面方向から徐々に傾斜させていくと画面の色ずれが減少することを確認した。
【００１２】
そこで、本発明のテレビジョン受像機では、上記のように、スピーカーはスピーカー支持部により前面キャビネットの内面に対して傾斜して取り付けられる。即ち、スピーカーと前面キャビネットの内面との間にスピーカー支持部を介在させることにより、スピーカーの音圧が最大になる方向をテレビジョン受像機の正面方向（陰極線管の管軸方向）に対して傾斜させる。
【００１３】
この傾斜により、スピーカ前面枠と前面キャビネットの内面との間に隙間が形成され、該隙間からスピーカーコーンの振動による音圧変動を逃がすことができるので、スピーカから前面キャビネットへ伝わる振動を低減できる。
【００１４】
また、スピーカを前面キャビネットの内面に対して傾斜して取り付けることにより、スピーカ前面枠と前面キャビネットの内面との接触面積が低減できるので、スピーカから前面キャビネットへ伝わる振動を低減できる。
【００１５】
このようにしてスピーカから前面キャビネットへ伝わる振動が大幅に低減できることにより、シャドウマスクの振動による画面の色ずれが低減されたテレビジョン受像機を提供できる。
【００１６】
本発明のテレビジョン受像機において、前記スピーカ支持部の高さが可変であることが好ましい。この好ましい構成により、前面キャビネットへの振動伝達量と音質とを最適に調整できる。
【００１７】
また、前記スピーカ支持部の材料が弾性材であることが好ましい。この好ましい構成により、スピーカ支持部がスピーカの振動を吸収するので、前面キャビネットに伝わる振動を低減することができる。
【００１８】
以下、本発明のテレビジョン受像機について、その特徴部分であるスピーカの取り付け構造について詳細に説明する。その他の構成は従来と同様なので説明を省略する。
【００１９】
図１は、本発明の一実施形態に係るテレビジョン受像機において、受像管（陰極線管）７及びスピーカ２が前面キャビネット１の内面に固定されている様子を示す側面断面図である。図１は、後部キャビネット８を取り去った状態を示している。図２は、スピーカ２が取り付けられる前のキャビネット１の内面を示した切り欠き斜視図である。
【００２０】
前面キャビネット１の、音声放出部６（図５参照）に対応する位置の内面には、スピーカ２からの音を側方に漏れるのを防止しながら音声放出部６に導くための円筒面を備えた凹み部３１が形成されている。凹み部３１の円筒面の正面から見た径はスピーカ２の前面枠２１の外径とほぼ等しい。凹み部３１の上側近傍に棒状のスピーカ支持部３が設けられている。スピーカ支持部３はキャビネット１の内壁に設けられた取り付け部３３の孔に挿入されることで、キャビネット１の内壁に固定されている。スピーカ２をネジ止めするためのボス１０は凹み部３１及びスピーカ支持部３を挟むように、これらの上下に各１つ設けられている。凹み部３１の端面及びボス１０の端面は略同一高さであり、スピーカ支持部３の先端はこれらより高い。
【００２１】
図３は、本実施の形態で使用するスピーカ２の背面図である。２つのネジ止め用のネジ孔４が中心に対して対称位置に形成されている。
【００２２】
スピーカ２を上下位置でネジ９でネジ止めすると、スピーカ２の前面枠２１がスピーカ支持部３の先端に当接するので、スピーカ２は前面キャビネット１の内面に対して傾斜して取り付けられる。その結果、図１に示すように、凹み部３１の端面とスピーカ前面枠２１との間に、上側ほど間隔が拡大する隙間３５が形成される。図３で示したように、スピーカ２が上下に２つのネジ孔４を有するので、スピーカ２を傾斜させて固定することが簡単にできる。
【００２３】
スピーカ２を駆動するとスピーカーコーンの振動により、スピーカコーンと凹み部３１とで形成される空間内に音圧変動が生じる。ところが、スピーカ２の前面側の側部に形成された隙間３５から音圧を逃がすことができるので、音圧変動が緩和され、前面キャビネット１に振動が伝わるのを低減できる。
【００２４】
また、スピーカ２が前面キャビネット１の内面に傾斜して取り付けられることにより、スピーカ２の前面枠２１と前面キャビネット１の内面（本実施形態では凹み部３１の端面）との接触面積が著しく減少するので、スピーカ２から前面キャビネット１に伝わる振動を低減できる。
【００２５】
スピーカ２と直接接触するスピーカ支持部３の材料は、前面キャビネット１と同一材料であってもよいが、ゴムなどの弾性材であることがより好ましい。これにより、スピーカ２からスピーカ支持部３を介して前面キャビネット１に伝わる振動を低減できる。特に、振動吸収の観点から反発係数の小さい材料が好ましい。ここで、「反発係数」とは、運動量保存の法則から定義されるものであり、
ｅ＝ｖ’／ｖ
（ただし、ｅ：反発係数、ｖ’：衝突前速度、ｖ：衝突後速度）
で表される。具体的には、「ハネナイト」（内外ゴム株式会社の商品名）や、「ポロン」（株式会社ロジャースイノアックの商品名）等の弾性防振ゴムの中から適当な反発係数のものを選択して使用すれば良い。
【００２６】
図１に示すように、側方から見たときのスピーカ２の前面枠２１の端面と前面キャビネット１の内面（即ち、凹み部３１の端面）とがなす角度（スピーカ傾斜角）αは、０°より大きく１０°位以下が好ましい。スピーカ傾斜角αが１０°を超えると音声品質が著しく低下し実用上使用に耐えられなくなる。
【００２７】
次に、本発明の具体的な実施例について説明する。
【００２８】
受像管７の対角サイズは６８ｃｍ、スピーカ２の直径は１００ｍｍとした。スピーカ支持部３の先端は、凹み部３１の端面及びボス１０の端面より１０ｍｍ突出させた。この結果、スピーカ傾斜角αは約３°となった。
【００２９】
スピーカ支持部３の材質として、実施例１では一般的なゴム、実施例２では反発係数０．０２の前記「ハネナイト」を用いた。
【００３０】
また、比較のために、スピーカ支持部３を取り付けないでスピーカ２を前面キャビネット１に傾斜させることなく取り付けた。比較例１では、ボス１０の端面とスピーカ２との間に実施例１で用いたのと同じゴムからなる環状のワッシャーを介在させた。比較例２では、ゴムのワッシャーを用いない以外は比較例１と同様とした。
【００３１】
これらの実施例１，２及び比較例１，２について、受像管７の振動に起因する画面上のビーム移動量を測定した。結果を表１に示す。
【００３２】
【表１】
2004048294.tif 000003
【００３３】
表１に示すように、スピーカ２を前面キャビネット１の内面に対して傾斜させないで取り付けた比較例１，２ではビーム移動量が５５０μｍ以上だったのに対して、傾斜して取り付けた実施例１，２では３００μｍ以下にまで低減された。
【００３４】
上記の説明では、スピーカ支持部３はキャビネット１の内面に形成した取り付け部３３の孔に嵌入させることにより取り付けたが、スピーカ支持部３を前面キャビネット１と一体に成形することもできる。
【００３５】
また、上記の例ではスピーカ支持部３の高さ（即ち、スピーカ支持部３の先端の突出量）は一定であったが、可変であってもよい。可変にするためには、例えば図４に示すように、取り付け部３３の孔（内径Ｄ３３ＩＮ、高さＬ３３）に円筒状部材３７（外径Ｄ３７ＯＵＴ、内径Ｄ３７ＩＮ、長さＬ３７）及びカップ状部材３８（外径Ｄ３８ＯＵＴ、長さＬ３８）を順に嵌入させた伸縮可能構造のスピーカ支持部３を用いることができる。ここで、Ｄ３３ＩＮ≒Ｄ３７ＯＵＴ、Ｄ３７ＩＮ≒Ｄ３８ＯＵＴ、Ｌ３３＜Ｌ３７＜Ｌ３８である。円筒状部材３７及びカップ状部材３８からなるスピーカ支持部３は前面キャビネット１に設けた孔１５にキャビネットの外側から取り付け部３３内に挿入され、その後、孔１５は栓３９で塞がれる。なお、スピーカ支持部３の高さを可変にするための構造は図４に限定されず、例えば、取り付け部３３にネジをねじ込んで、その高さを調整することによっても実現できる。
【００３６】
スピーカ支持部３の高さを可変にすることで、スピーカ傾斜角α及び隙間３５の大きさを自由に選択できる。従って、スピーカ２から前面キャビネット１に伝わる振動の量を調整することができる。この結果、テレにジョン受像機の組み立て時に、シャドウマスクの振動により生じる画面の色ずれと音質とを最適に調整することができる。
【００３７】
本発明において、スピーカ支持部３やネジ９の取り付け位置や個数は上記の例に限定されない。但し、複数のスピーカ支持部３を用いて、スピーカ３を前面キャビネット１の内面に対して傾斜させることなく離間して取り付けると、スピーカ前面枠２１と凹み部３１の端面との間に形成される隙間が大きくなりすぎて、音圧の逃げ量が増大し、音質の劣化を生じるので好ましくない。
【００３８】
【発明の効果】
以上説明したように、本発明によれば、スピーカから音圧変動及びスピーカ前面枠を介して前面キャビネットに伝わる振動を大幅に低減できるので、シャドウマスクの振動による色ずれなどの画質の劣化が少ないテレビジョン受像機を提供することができる。
【図面の簡単な説明】
【図１】本発明の一実施形態に係るテレビジョン受像機においてスピーカ取り付け部を示した側面断面図
【図２】本発明の一実施形態に係るテレビジョン受像機においてスピーカが取り付けられる前のキャビネットの内面を示した切り欠き斜視図
【図３】図１におけるスピーカの背面図
【図４】高さが可変のスピーカ支持部の一実施形態を示した断面図
【図５】一般的なテレビジョン受像機の斜視図
【図６】従来のテレビジョン受像機においてスピーカ取り付け部を示した側面断面図
【符号の説明】
１　前面キャビネット
２　スピーカ
３　スピーカ支持部
４　ネジ孔
６　音声放出部
７　カラー受像管（陰極線管）
８　後部キャビネット
９　ねじ
１０　ボス
１１　シャドウマスク
２１　スピーカの前面枠
３１　凹み部
３３　取り付け部
３５　隙間
α　スピーカ取りつけ角度
【図１】
2004048294.tif 000004
【図２】
2004048294.tif 000005
【図３】
2004048294.tif 000006
【図４】
2004048294.tif 000007
【図５】
2004048294.tif 000008
【図６】
2004048294.tif 000009